(57)【要約】      （修正有）【課題】ＰＣまくら木の長さ方向の端部の周側面への高さ調整コンクリートの天端ラインと、各ＰＣまくら木の両端部の上面へのタイプレートの取付ラインとを一度に線引きできる弾性バラスト軌道のＰＣまくら木用線引き治具を提供する。【解決手段】ＰＣまくら木１１の長さ方向の両端部に、弾性バラスト軌道のＰＣまくら木用線引き治具をそれぞれ被せるように装着し、ＰＣまくら木１１の両端部の周側面１１ａ、１１ｂに、後工程で打設される高さ調整コンクリート１２の天端ラインａをそれぞれ線引きする。また、各ＰＣまくら木１１の両端部の上面１１ｃに、タイプレート１４の取付ラインｂをそれぞれ線引きする。これにより、ＰＣまくら木１１の長さ方向の両端部に対して、高さ調整コンクリート１２の天端ラインａと、タイプレート１４の取付ラインｂとを、簡単に短時間で線引きすることができる。【選択図】図１
0003211673.tif 000002
【実用新案登録請求の範囲】
【請求項１】
弾性バラスト軌道に使用されるＰＣまくら木の長さ方向の両端部の周側面に、高さ調整コンクリートの上面の打設高さを示す天端ラインを線引きするとともに、前記ＰＣまくら木の長さ方向の両端部の上面に、この上面にレールを固定する際に使用されるタイプレートの取付ラインを線引きするための弾性バラスト軌道のＰＣまくら木用線引き治具であって、
前記ＰＣまくら木の長さ方向の両端部の周側面に宛がわれて、この周側面に前記天端ラインを線引きするためのコの字形横枠体と、
該コの字形横枠体に下端部が連結されて、前記ＰＣまくら木の長さ方向の両端部の上面に、前記タイプレートの取付ラインを線引きするための門形縦枠体とを有した弾性バラスト軌道のＰＣまくら木用線引き治具。
【考案の詳細な説明】
【技術分野】
【０００１】
この考案は、弾性バラスト軌道のＰＣまくら木用線引き治具、詳しくは弾性バラスト軌道の作業現場において、ＰＣまくら木の長さ方向の両端部（以下、両端部と略称する）に、後工程で打設される高さ調整コンクリートの天端ラインと、タイプレートの取付位置とを線引きするための弾性バラスト軌道のＰＣまくら木用線引き治具に関する。
【背景技術】
【０００２】
近年、低騒音で低振動のバラスト軌道と、メンテナンスが簡略なスラブ軌道との両方の利点を兼ね備えた弾性バラスト軌道が開発されている。弾性バラスト軌道は、コンクリート床板（または路盤コンクリート）と、コンクリート床板上に打設される左右一対の高さ調整コンクリートと、これらの高さ調整コンクリートに、弾性材および縁切材を介して、両端部の下部が埋設される複数のＰＣまくら木と、各ＰＣまくら木の両端部の上面にタイプレートを介在して連結される２本のレール（軌条）と、コンクリート床板および各高さ調整コンクリートの上に撒かれるバラストとを備えたものである（例えば、特許文献1など）。なお、弾性材はＰＣまくら木の両端部の底面に配される。また、縁切材は、ＰＣまくら木を弾性支承する目的で、ＰＣまくら木の両端部の周側面に配される。
【０００３】
弾性バラスト軌道の施工に際しては、まずコンクリート床板上での軌道測量し、その後、レールおよびＰＣまくら木を配列して軌きょうを組み立てる。次に、コンクリート床板上で鉄筋と型枠とを順次組み立て、各型枠にコンクリートを流し込むことで、左右一対の高さ調整コンクリートを打設する。このとき、各ＰＣまくら木の両端部の上面から、対応する高さ調整コンクリートの天端面（上面）までの高さは均一である。その後、各ＰＣまくら木の両端部の上面に、それぞれタイプレートを介在して２本の軌条が平行状態で固定される。
【０００４】
ところで、各高さ調整コンクリートを打設する際、対応する型枠にコンクリートを流し込む量は、曲尺や下げ振りを利用して、あらかじめ各ＰＣまくら木の両端部の周側面に線引きされた高さ調整コンクリートの天端ライン（天端高さ線）によって、打設作業者に指示される。
また、各タイプレートの取付位置も、対応するＰＣまくら木の両端部の上面に、曲尺を使って線引きされたタイプレートの取付ラインにより決定されている。この取付ラインは、ＰＣまくら木の長さ方向の両端を基準として線引きされる。
【先行技術文献】
【特許文献】
【０００５】
【特許文献１】特開２０１０−２８５８４０号公報
【考案の概要】
【考案が解決しようとする課題】
【０００６】
従来の弾性バラスト軌道の施工にあっては、このように高さ調整コンクリートの打設時、高さ調整コンクリートの天端ラインを各ＰＣまくら木の両端部の周側面に線引きするときや、各ＰＣまくら木の両端部の上面にタイプレート取付ラインを線引きするときには、それぞれ曲尺や下げ振りを、各ＰＣまくら木の両端部の側面またはその上面にあてがい、マーカーを使用して、対応する線を個別に引いていた。
そのため、例えば、数千本のＰＣまくら木を使用する弾性バラスト軌道の新設時には、その線引き作業に長時間を要していた。さらには、線引き作業員の測り間違いや人的誤差も大きかった。
【０００７】
そこで、考案者は鋭意研究の結果、従来の曲尺や下げ振りに代えて、各ＰＣまくら木の両端部の周側面への高さ調整コンクリートの天端ラインと、各ＰＣまくら木の両端部の上面へのタイプレートの取付ラインとを、一度に線引きすることができる専用の治具を作製すれば、上述した問題はすべて解消されることを知見し、この考案を完成させた。
【０００８】
すなわち、この考案は、ＰＣまくら木の長さ方向の端部の周側面に対して、打設される高さ調整コンクリートの天端ラインと、各ＰＣまくら木の両端部の上面へのタイプレートの取付ラインとを、簡単に短時間のうちに線引きできる弾性バラスト軌道のＰＣまくら木用線引き治具を提供することを目的としている。
【課題を解決するための手段】
【０００９】
請求項１に記載の考案は、弾性バラスト軌道に使用されるＰＣまくら木の長さ方向の両端部の周側面に、高さ調整コンクリートの上面の打設高さを示す天端ラインを線引きするとともに、前記ＰＣまくら木の長さ方向の両端部の上面に、この上面にレールを固定する際に使用されるタイプレートの取付ラインを線引きするための弾性バラスト軌道のＰＣまくら木用線引き治具であって、前記ＰＣまくら木の長さ方向の両端部の周側面に宛がわれて、この周側面に前記天端ラインを線引きするためのコの字形横枠体と、該コの字形横枠体に下端部が連結されて、前記ＰＣまくら木の長さ方向の両端部の上面に、前記タイプレートの取付ラインを線引きするための門形縦枠体とを有した弾性バラスト軌道のＰＣまくら木用線引き治具である。
【００１０】
弾性バラスト軌道とは、長さ方向の両端部の下面に弾性材が配されて、その周側面に絶縁材が配されたＰＣまくら木と、ＰＣまくら木を所定高さに水平状態で保持する高さ調整コンクリートと、消音バラストとによって構成される防音・防振・省力型の軌道である。
ＰＣまくら木とは、素材にプレストレスト・コンクリート（Ｐｒｅｓｔｒｅｓｓｅｄ  Ｃｏｎｃｒｅｔｅ）を採用して、２本のレールを平行状態で支持する部材である。
レールとは、線路の一部を構成し、列車が走行する軌条である。
ここでいう"ＰＣまくら木の長さ方向の両端部の周側面"とは、この両端部の形成面のうち、ＰＣまくら木の幅方向の両側面（左右の側面）と、ＰＣまくら木の長さ方向の端面（先端面）とをいう。天端ラインが線引きされるのは、周側面の一部でもよいし、その全部でもよい。
ここでいう"天端"とは、高さ調整コンクリートの上面（表面）をいう。
タイプレートとは、レールとＰＣまくら木との間に挿入された状態で敷設される鉄板をいう。
タイプレートの取付ラインを線引きする際の基準線は、例えば、ＰＣまくら木の長さ方向の対応側の端（縁、辺）である。
【００１１】
弾性バラスト軌道のＰＣまくら木用線引き治具とは、ＰＣまくら木の両端部に、天端ラインとタイプレートの取付ラインとを線引きするための定規である。
コの字形横枠体および門形縦枠体の素材としては、例えば、ステンレス、アルミ合金などの各種の金属、ポリカーボネート、ポリアミドなどの各種の硬質合成樹脂などを採用することができる。
ここでいう"コの字形横枠体"とは、平面視してコの字形をした枠材である。具体的には、ＰＣまくら木の対応する端部のうち、その幅方向の各側面にそれぞれ宛がわれる左右一対の横側枠と、ＰＣまくら木の対応する端部のうち、その長さ方向の先端面に宛がわれるとともに、各横側枠の先端部（一端部）同士を連結する先端枠とからなる。ここでいう"宛がわれる"とは、コの字形横枠体がＰＣまくら木の長さ方向の両端部の周側面に対して、当接（面接触、線接触）した状態、または、互いの対峙面が（平行に）近接した状態であることをいう。なお、このことは、門形縦枠体がＰＣまくら木の対応する端部の上面に"宛がわれる"という記載についても同様である。
コの字形横枠体のうち、天端ラインの線引き時にマーカーのガイドとなる箇所は任意である。例えば、コの字形横枠体の上縁（上辺）でも、コの字形横枠体の下縁（下辺）でもよい。その他、コの字形横枠体に切欠された（上縁または下縁と平行な）線引き用のスリット部分でもよい。
【００１２】
ここでいう門形縦枠体とは、正面視して（ＰＣまくら木に装着後、このまくら木の長さ方向から見て）門形の枠材である。具体的には、ＰＣまくら木の対応する端部の上面に宛がわれる（面接触される）上枠と、上枠の長さ方向の両端部から下方に向かって延出されて、各下端部がコの字形横枠体の対応する横側枠の部分に連結された左右一対の縦側枠とからなる。
門形縦枠体のうち、タイプレートの取付ラインの線引き時にマーカーのガイドとなる箇所は任意である。例えば、門形縦枠体の幅方向の何れかの縁（辺）でもよい。その他、門形縦枠体に切欠された（幅方向の何れかの縁と平行な）線引き用のスリット部分でもよい。
このＰＣまくら木用線引き治具には、取り扱いが容易なように取っ手を設けてもよい。その他、この線引き治具をＰＣまくら木の対応する端部に装着した際、この治具の安定性を高める任意形状の部材を設けてもよい。
【考案の効果】
【００１３】
請求項１に記載の考案によれば、ＰＣまくら木の長さ方向の一端部に、弾性バラスト軌道のＰＣまくら木用線引き治具を被せるように装着する。その後、ＰＣまくら木の両端部の周側面に、後工程で打設される高さ調整コンクリートの天端ラインを線引きするとともに、各ＰＣまくら木の両端部の上面に、タイプレートの取付ラインを線引きする。
具体的には、この線引き治具をＰＣまくら木に装着した状態で、コの字形横枠体のうち、例えば上縁または下縁をガイドとして、ＰＣまくら木の対応する端部の周側面に、天端ラインを線引きする。また、この線引き治具の装着状態で、門形縦枠体のうち、例えば内縁（一方の側縁）または外縁（他方の側縁）をガイドにして、ＰＣまくら木の対応する端部の上面に、タイプレートの例えばその外側の端などの取付位置を示すための取付ラインを線引きする。その後、ＰＣまくら木の長さ方向の他端部についても、同様に天端ラインとタイプレートの取付ラインとを線引きする。
これにより、ＰＣまくら木の長さ方向の両端部に対して、高さ調整コンクリートの天端ラインと、タイプレートの取付ラインとを、簡単に短時間で線引きすることができる。
【図面の簡単な説明】
【００１４】
【図１】この考案の実施例１に係る弾性バラスト軌道のＰＣまくら木用線引き治具の使用状態を示す斜視図である。
【図２】この考案の実施例１に係る弾性バラスト軌道のＰＣまくら木用線引き治具の斜視図である。
【図３】この考案の実施例１に係る弾性バラスト軌道のＰＣまくら木用線引き治具により線引きされたＰＣまくら木の使用状態を示す一部断面図を含む部分拡大斜視図である。
【考案を実施するための形態】
【００１５】
以下、この考案の実施例を具体的に説明する。
【実施例】
【００１６】
図１〜図３において、１０はこの考案の実施例１に係る弾性バラスト軌道のＰＣまくら木用線引き治具（以下、線引き治具）で、この線引き治具１０は、弾性バラスト軌道に使用されるＰＣまくら木１１の長さ方向の両端部の周側面に、高さ調整コンクリート１２の上面の打設高さを示す天端ラインａを線引きするとともに、ＰＣまくら木１１の長さ方向の両端部の上面１１ａに、この上面１１ａにレール１３を固定する際に使用されるタイプレート１４の取付ラインｂを線引きするためのものである。
【００１７】
以下、これらの構成体を具体的に説明する。
図２に示すように、ＰＣまくら木１１は、プレストレスト・コンクリート製の角材で、その長さ方向の両端部が厚肉化している。この厚肉化した両端部には、その底面にシート状の弾性材２２が固定され、その周側面（幅方向の各側面１１ａおよび先端面１１ｂ）に、ＰＣまくら木１１を弾性支承するシート状の縁切材２３が展張されている。
【００１８】
図１〜図３に示すように、線引き治具１０は、ＰＣまくら木１１の長さ方向の両端部の両側面１１ａおよび先端面１１ｂに、天端ラインａを線引きするためのコの字形横枠体１５と、コの字形横枠体１５に下端部が連結されて、ＰＣまくら木１１の長さ方向の両端部の上面１１ｃに、タイプレート１４の取付ラインｂを線引きするための門形縦枠体１６と、コの字形横枠体１５の他の部分に下端部が連結された補助門形縦枠体１７とを有している。
コの字形横枠体１５は、幅５ｃｍ程度の平面視してコの字形をしたステンレス枠材である。具体的には、ＰＣまくら木１１の対応する端部のうち、その幅方向の各側面１１ａにそれぞれ宛がわれる左右一対の横側枠１８と、ＰＣまくら木１１の対応する端部のうち、その長さ方向の先端面１１ｂに宛がわれるとともに、各横側枠１８の先端部（一端部）同士を連結する先端枠１９とからなる。このうち、天端ラインａの線引きに使用される箇所は、後述する門形縦枠体１６の上枠２０の下面から下方へ１２０ｍｍだけ離間したコの字形横枠体１５の下縁（下辺）である。なお、左右一対の横側枠１８の幅は、ＰＣまくら木１１の両端部の幅より１ｃｍ程度長くなっている。
【００１９】
また、門形縦枠体１６と補助門形縦枠体１７とは同一のもので、これらは、正面視して（ＰＣまくら木１１に線引き治具１０を装着後、このまくら木１１の長さ方向から見て）門形をした幅５ｃｍ程度のステンレス枠材である。具体的に、これらの門形縦枠体１６および補助門形縦枠体１７は、ＰＣまくら木１１の対応する端部の上面１１ｃに宛がわれる（載置または当接される）上枠２０と、上枠２０の長さ方向の両端部から下方へ延出されて、各下端部が、コの字形横枠体１５の対応する横側枠１８に連結された左右一対の縦側枠２１とからなる。門形縦枠体１６は、コの字形横枠体１５の先端枠１９から１６０ｍｍだけ平行に離間した各横側枠１８の部分に連結されている。一方、補助門形縦枠体１７は、各横側枠１８のうち、先端枠１９とは反対側の端部に、門形縦枠体１６と平行状態で固定されている。門形縦枠体１６のうち、タイプレート１４の取付ラインｂの線引きに使用される箇所は、上枠２０の先端枠１９側の縁（辺）である。この先端枠１９側の縁は、先端枠１９の内面から１６０ｍｍだけ離間している。なお、門形縦枠体１６および補助門形縦枠体１７の対配置された縦側枠２１の幅は、ＰＣまくら木１１の両端部の幅より１ｃｍ程度長くなっている。
【００２０】
次に、図１および図２を参照して、この考案の弾性バラスト軌道のＰＣまくら木用線引き治具１０の使用方法を説明する。ここでは、弾性バラスト軌道を新設するにあたって、線引き作業の効率化を図るため、２人の線引き作業員が線引き治具１０を使用し、多数のＰＣまくら木１１の長さ方向の両端部に対して、同時に線引き作業を行う場合を例に説明する。
図１および図２に示すように、まずＰＣまくら木１１の長さ方向の両端部に、２つの線引き治具１０を上方から被せる。
具体的には、門形縦枠体１６および補助門形縦枠体１７の各上枠２０を、ＰＣまくら木１１の対応する端部の各上面１１ｃに載置（面接触）した状態で、各コの字形横枠体１５の横側枠１８を、ＰＣまくら木１１の対応する端部の各側面１１ａの上部（実際には縁切材２３の上部）に近接配置するとともに、各コの字形横枠体１５の先端枠１９を、ＰＣまくら木１１の対応する端部の先端面１１ｂの上部に近接配置し、さらには門形縦枠体１６および補助門形縦枠体１７の各縦側枠２１を、ＰＣまくら木１１の対応する端部の各側面１１ａの上部に近接配置する。
【００２１】
次に、この状態を維持して、各ＰＣまくら木１１の両端部の周側面のうち、ＰＣまくら木１１の端部の上面１１ｃから下方へ１２０ｍｍだけ平行に離間した縁切材２３の上部の位置に、各コの字形横枠体１５（各横側枠１８および先端枠１９）の下縁をガイドにして、その後に打設される高さ調整コンクリート１２の上面の打設高さを示す天端ラインａをマーカーにより線引きする。
一方、各ＰＣまくら木１１の両端部の上面１１ｃに、各門形縦枠の上枠２０のうち、先端枠１９側の縁をガイドにして、ＰＣまくら木１１の対応する側の端（縁、辺）から平行に１６０ｍｍだけ離間した位置に、タイプレート１４の外側の端の取付位置を示す取付ラインｂを、マーカーによって線引きする。
これにより、１つの線引き治具１０を使用して、各ＰＣまくら木１１の長さ方向の両端部に、後工程で打設される高さ調整コンクリート１２の天端ラインａと、後工程で固定される各タイプレート１４の取付ラインｂとを、簡単に短時間で線引きすることができる。
【産業上の利用可能性】
【００２２】
この考案の弾性バラスト軌道のＰＣまくら木用線引き治具は、打設される高さ調整コンクリートの天端ラインと、タイプレートの取付位置とを線引きする技術として有用である。
【符号の説明】
【００２３】
１０  弾性バラスト軌道のＰＣまくら木用線引き治具、
１１  ＰＣまくら木、
１１ａ  側面（周側面）、
１１ｂ  先端面（周側面）、
１１ｃ  上面、
１２  高さ調整コンクリート、
１３  レール、
１４  タイプレート、
１５  コの字形横枠体、
１６  門形縦枠体、
ａ  天端ライン、
ｂ  取付ライン。
【図１】
0003211673.tif 000003
【図２】
0003211673.tif 000004
【図３】
0003211673.tif 000005